(57)【要約】  【課題】本発明は、電子機器に関するものであって、電池の交換を容易にすることを目的とするものである。  【解決手段】そして、その目的を達成するために、本発明は、本体ケース１と、この本体ケース１の収納部２に着脱自在に収納されたボタン型の電池３と、この電池３の前記収納部２の電池表面側を覆ったカバー４を備え、前記収納部２の電池３の裏面側には、バネ性のマイナス端子７と水平保持突起８とを設け、前記収納部２の電池３の外周部又は表面側には、プラス端子を設け、前記収納部２の一端側には、電池挿入保持部９を設け、前記収納部２の他端側には、電池押し下げ保持部１０を設け、前記水平保持突起８は、バネ性のマイナス端子７と同位置もしくは電池押し下げ保持部１０側に設けた。【選択図】  図８
2010062107.tif 000002
【特許請求の範囲】
【請求項１】
本体ケースと、この本体ケースの収納部に着脱自在に収納されたボタン型の電池と、この電池の前記収納部の電池表面側を覆ったカバーを備え、前記収納部の電池の裏面側には、バネ性のマイナス端子と水平保持突起とを設け、前記収納部の電池の外周部又は表面側には、プラス端子を設け、前記収納部の一端側には、電池挿入保持部を設け、前記収納部の他端側には、電池押し下げ保持部を設け、前記水平保持突起は、バネ性のマイナス端子と同位置もしくは電池押し下げ保持部側に設けた電子機器。
【請求項２】
水平保持突起を、少なくとも３個以上設け、そのうちの１個の水平保持突起をバネ性のマイナス端子と同位置に配置した請求項１に記載の電子機器。
【請求項３】
バネ性のマイナス端子は、収納部における電池挿入保持部と電池押し下げ保持部間を結ぶ線の両側に配置し、この両側のマイナス端子間に水平保持突起を配置した請求項２に記載の電子機器。
【請求項４】
バネ性のマイナス端子は、収納部における電池挿入保持部と電池押し下げ保持部間を結ぶ線の両側に２対配置し、この両側の２対のマイナス端子間に水平保持突起を配置した請求項２に記載の電子機器。
【請求項５】
バネ性のマイナス端子は、それと同位置に配置した水平保持突起よりも電池の裏面側に向けて高くなる形状とした請求項２ないし請求項４のいずれか一つに記載の電子機器。
【発明の詳細な説明】
【技術分野】
【０００１】
本発明は、電池で駆動される各種電子機器に関するものである。
【背景技術】
【０００２】
電池で駆動される電子機器としては多くのものが市販されており、その中で、電力消費があまり大きくなく、しかも、小型化、薄型化を図りたいと思う電子機器には、ボタン型の電池が活用されている（下記特許文献１）。
【０００３】
そして、そのような電子機器の構造は、例えば、下記のような構造となっていた。すなわち、本体ケースと、この本体ケースの収納部に着脱自在に収納されたボタン型の電池と、この電池の前記収納部の電池表面側を覆ったカバーを備え、前記収納部の電池の裏面側には、バネ性のマイナス端子と水平保持突起とを設け、前記収納部の電池の外周部又は表面側には、プラス端子を設け、前記収納部の一端側には、電池挿入保持部を設け、前記収納部の他端側には、電池押し下げ保持部を設けた構造となっていた。
【特許文献１】特開平５−１６６３５６号公報
【発明の開示】
【発明が解決しようとする課題】
【０００４】
上記従来例における課題は、電池交換に対する作業性が悪いということであった。すなわち、この電池交換時には、収納部に収納された電池の電池挿入保持部側を押し下げ、これにより電池の押し下げ保持部側を浮かせ、この浮いた部分を指でつまんで電池を収納部から引き出すことになるのであるが、電池挿入保持部側を押し下げても、電池の押し下げ保持部側が十分に浮かず、この状態では、電池をつまみ出すことが難しく、これが作業性を悪くする要因となっていた。なお、電池挿入保持部側を押し下げても、電池の押し下げ保持部側が十分に浮かない理由としては、収納部の電池の裏面側に、水平保持突起が設けられていることがあげられる。つまり、電池の水平状態を保つために、この水平保持突起を設けていることが、電池の取り出しの時に、その電池挿入保持部側を十分に押し下げることができず（電池の裏面と水平保持突起が当接する）、この結果として、電池の押し下げ保持部側が十分に浮かず、これによって上述のごとく、電池をつまみ出すことが難しく、作業性が悪くなってしまうものであった。
【０００５】
そこで本発明は、電池交換に対する作業性を良くすることを目的とするものである。
【課題を解決するための手段】
【０００６】
そして、この目的を達成するために本発明は、本体ケースと、この本体ケースの収納部に着脱自在に収納されたボタン型の電池と、この電池の前記収納部の電池表面側を覆ったカバーを備え、前記収納部の電池の裏面側には、バネ性のマイナス端子と水平保持突起とを設け、前記収納部の電池の外周部又は表面側には、プラス端子を設け、前記収納部の一端側には、電池挿入保持部を設け、前記収納部の他端側には、電池押し下げ保持部を設け、前記水平保持突起は、バネ性のマイナス端子と同位置もしくは電池押し下げ保持部側に設け、これにより、初期の目的を達成するものである。
【発明の効果】
【０００７】
以上のごとく本発明は、本体ケースと、この本体ケースの収納部に着脱自在に収納されたボタン型の電池と、この電池の前記収納部の電池表面側を覆ったカバーを備え、前記収納部の電池の裏面側には、バネ性のマイナス端子と水平保持突起とを設け、前記収納部の電池の外周部又は表面側には、プラス端子を設け、前記収納部の一端側には、電池挿入保持部を設け、前記収納部の他端側には、電池押し下げ保持部を設け、前記水平保持突起は、バネ性のマイナス端子と同位置もしくは電池押し下げ保持部側に設けたものであるので、電池交換に対する作業性の良いものとすることができる。
【０００８】
すなわち、本発明においては、収納部の電池の裏面側に設けた水平保持突起は、バネ性のマイナス端子と同位置もしくは電池押し下げ保持部側に設けたものであるので、電池の収納部からの取り出し時に、その電池の挿入保持部側を十分に押し下げることが可能となり、これによって、電池の押し下げ保持部側は、十分に浮き上がり、よって、この十分に浮き上がった電池の押し下げ保持部側をつまんで間単に電池交換をすることが可能となり、作業性の良いものとなるのである。
【発明を実施するための最良の形態】
【０００９】
以下、本発明の一実施形態を、添付図面を用いて説明する。図１、図２は、本発明の一実施形態を携帯用血糖値測定器に適用したものを示し、この携帯用血糖値測定器は、本体ケース１と、この本体ケース１の収納部２に着脱自在に収納されたボタン型の電池３と、この電池３の前記収納部２の電池表面側を覆ったカバー４を備えている。
【００１０】
すなわち、本体ケース１の先端面には、血糖値センサ（図示せず）の挿入口５が設けられ、この挿入口５に、血糖値センサを挿入すれば、測定部（図示せず）で血糖値が測定され、その血糖値は上面の表示部６に表示されるようになっている。これら測定部及び表示部６の電源は上記電池３から供給されるようになっている。この電池３は、収納部２に収納された後、その表面側をカバー４で覆うようになっている。なお、この電池３は、現在市販されているものであって、下面側がマイナス電極、外周部と上面側がプラス電極となっている。又、図１０は、電池が装着されていない電池収納部の詳細な状態を示す拡大平面図である。
【００１１】
では次に、この電池３の収納部２への装着と取り出しについて説明する。図３に示すごとく、収納部２における前記電池３の裏面側には、バネ性のマイナス端子７と水平保持突起８とを設けており、前記収納部２の電池３の外周部（又は表面側）には、プラス端子（図示せず）を設け、前記収納部２の一端側（図３の右側）には、電池挿入保持部９を設け、前記収納部２の他端側（図３の左側）には、電池押し下げ保持部１０を設けている。前記水平保持突起８は、少なくとも３個以上設けており、そのうちの１個は、図３に示すごとく、バネ性のマイナス端子７と同位置に配置しており、他の２個は図３に示しているように、電池押し上げ保持部１０側において、左右に配置している。つまり、これら３個の水平保持突起８は、マイナス端子７と同位置に配置したものを頂点とする三角形状に配置されている。又、前記バネ性のマイナス端子７は、収納部２における電池挿入保持部９と電池押し下げ保持部１０間を結ぶ線の両側に２対配置しており、このように、両側に２対配置されたマイナス端子７間（前後の一対間）に、前記三角形状に配置された頂点部分の水平保持突起８を配置している。
【００１２】
又、この状態において、バネ性のマイナス端子７は、それと同位置に配置した水平保持突起８よりも、図３のごとく、電池３の裏面側に向けて高くなる形状としている。
【００１３】
さて、この形状において、収納部２に電池３を収納させる時においては、まず、図３のごとく、電池３の後端側（図３の左側）を、親指１１と人差指１２でつまみ、次に、電池３の先端側（図３の右側）を電池挿入保持部９の下に挿入し、その後、図４に示すごとく、人差指１２で電池３の後端側を電池押し下げ保持部１０に向けて押し付ける。この時、電池３は、その外周部が湾曲した面となっているので、この電池３の先端側はその湾曲面に従って、電池挿入保持部９に向けて上昇し、又、この電池３の後端側はその湾曲面に従って、電池押し下げ保持部１０に向けて下降する。
【００１４】
図５、図６は、人差指１２による押し下げ動作の進行状態を示しており、この人差指１２の押し下げによって、電池３はやがては、図７のごとく収納部２に収納される。この収納された状態においては、電池３の先端部は、電池挿入保持部９によって保持され、又、この電池３の後端部は、電池押し下げ保持部１０によって、保持されている。又、この電池３の裏面によって、バネ性のマイナス端子７は、圧縮され、これによって、電池３の裏面側にマイナス端子７が圧接、接続されている。なお、この時、電池３の外周部には、図示していないプラス端子が接続されている。又、この時、図７にも示しているが、マイナス端子７よりも、低い位置で、上記３個の水平保持突起８が存在する状況となっており、つまり、これら３個の水平保持突起８が、電池３の裏面とマイナス端子７との圧接、接続を阻害することはない。
【００１５】
次に、電池３の交換を行おうとする場合、図８に示すごとく、電池３の先端側（電池挿入保持部９側）を人差指１２で下方へと押し付ける。この時、図８に示すごとく、電池３の先端側下方には、水平保持突起８が存在しないことで、この電池３の先端側を大きく下方へと押し下げることができる。すると、上記電池３の装着時でも説明したが、この電池３の外周部に、湾曲面を設けているので、この電池３の先端側は、下降しながら、若干、後端側へと移動することになる。この時、このように下降する電池３の先端側よりも、後端側に設けられているマイナス端子７が電池３による押圧力が解かれることで、この電池３の後端側を持上げる作用を発揮し、その結果として、電池３の後端側は、電池押し下げ保持部１０を簡単に押しあがる状態となる。従って、このように、電池３の後端側が、押しあがる、つまり、電池３の後端側が浮き上がれば、図９のごとく、親指１１と人差指１２で、この浮き上がった電池３の後端側をつまんで、収納部２から簡単に、取り外すことができる。このように、本実施形態においては、従来とは異なり、水平保持突起８を、マイナス端子７と同じか、それよりも電池押し下げ保持部１０側へと移動配置することにより、特に、収納部２からの電池３の取出しが、きわめて、簡単に行えるようになり、非常に、利便性の高いものとなる。
【産業上の利用可能性】
【００１６】
以上のごとく本発明は、本体ケースと、この本体ケースの収納部に着脱自在に収納されたボタン型の電池と、この電池の前記収納部の電池表面側を覆ったカバーを備え、前記収納部の電池の裏面側には、バネ性のマイナス端子と水平保持突起とを設け、前記収納部の電池の外周部又は表面側には、プラス端子を設け、前記収納部の一端側には、電池挿入保持部を設け、前記収納部の他端側には、電池押し下げ保持部を設け、前記水平保持突起は、バネ性のマイナス端子と同位置もしくは電池押し下げ保持部側に設けたものであるので、電池交換に対する作業性の良いものとすることができる。
【００１７】
すなわち、本発明においては、収納部の電池の裏面側に設けた水平保持突起は、バネ性のマイナス端子と同位置もしくは電池押し下げ保持部側に設けたものであるので、電池の収納部からの取り出し時に、その電池の挿入保持部側を十分に押し下げることが可能となり、これによって、電池の押し下げ保持部側は、十分に浮き上がり、よって、この十分に浮き上がった電池の押し下げ保持部側をつまんで間単に電池交換をすることが可能となり、作業性の良いものとなるのである。
【００１８】
従って、小型化、薄型化された電子機器から電池を容易に取り出し交換が可能となることで、各種電子機器に広く活用が期待されるものである。  
【図面の簡単な説明】
【００１９】
【図１】本発明の一実施形態の表面側斜視図
【図２】同裏面側斜視図
【図３】電池の装着状態を示す断面図
【図４】電池の装着状態を示す断面図
【図５】電池の装着状態を示す断面図
【図６】電池の装着状態を示す断面図
【図７】電池の装着状態を示す断面図
【図８】電池の取り出し状態を示す断面図
【図９】電池の取り出し状態を示す断面図
【図１０】電池収納部を示す（電池未装着）拡大平面図
【符号の説明】
【００２０】
１  本体ケース
２  収納部
３  電池
４  カバー
５  挿入口
６  表示部
７  マイナス端子
８  水平保持突起
９  電池挿入保持部
１０  電池押し下げ保持部
１１  親指
１２  人差指
【図１】
2010062107.tif 000003
【図２】
2010062107.tif 000004
【図３】
2010062107.tif 000005
【図４】
2010062107.tif 000006
【図５】
2010062107.tif 000007
【図６】
2010062107.tif 000008
【図７】
2010062107.tif 000009
【図８】
2010062107.tif 000010
【図９】
2010062107.tif 000011
【図１０】
2010062107.tif 000012